(57)【要約】【課題】  選択された画像処理部（カメラ部）を本体部に接続して撮影を行う際に、操作者が意図しない撮影がなされてしまうのを回避する。【解決手段】  画像処理部と上記本体部とが接合された際に、画像処理部の設定可能項目を本体部に通知し（ステップＳ２０４）、本体部において、画像処理部から通知された設定可能項目と、当該本体部に既に記録されている画像処理部に対する設定の内容とを比較し（ステップＳ２０６）、この比較の結果、異なる部分があると判断された場合に、より近似の設定値を設定するようにする（ステップＳ２０７、ステップＳ２０８）。【選択図】  図２
2006174062.tif 000002
【特許請求の範囲】
【請求項１】
画像を処理する画像処理部と本体部とが装着及び分離する構造を備え、１つの上記本体部に対して、複数の上記画像処理部の中から１つを選択して装着し、接合を行う接合手段と、
上記接合手段により接合された上記本体部と上記画像処理部とが相互に通信を行うための通信手段と、
上記接合手段により上記画像処理部と上記本体部とが接合された際に、上記通信手段により通信を行い、上記画像処理部の設定可能項目を上記本体部に通知する設定内容通知手段と、
上記本体部において、上記設定内容通知手段により通知された設定可能項目と、当該本体部に既に記録されている上記画像処理部に対する設定の内容とを比較する設定内容比較手段と、
上記設定内容比較手段による比較の結果、上記設定内容通知手段により通知された設定可能項目と、上記設定記録手段に記録されている設定の内容とに異なる部分があると判断された場合に、より近似の値を設定する近似値設定手段と
を有することを特徴とする画像処理システム。
【請求項２】
上記本体部は、上記近似値設定手段により新しい設定値が設定された場合、その内容を上記通信手段を介して上記画像処理部に通知することを特徴とする請求項１に記載の画像処理システム。
【請求項３】
上記本体部において、上記近似値設定手段により新しい設定値が設定された場合、操作者に対して上記接合手段により接合されている上記画像処理部における設定の変更を警告する設定変更警告手段を更に有することを特徴とする請求項１又は２に記載の画像処理システム。
【請求項４】
上記近似値設定手段により新しい設定値が設定された場合、上記画像処理部の設定内容を当該新しい設定値に直ちに変更可能なインターフェイスを更に有することを特徴とする請求項１〜３のいずれか１項に記載の画像処理システム。
【請求項５】
上記設定変更警告手段は、表示による視覚的な効果と音声による聴覚的な効果とをもって操作者に上記警告を行うことを特徴とする請求項３に記載の画像処理システム。
【請求項６】
画像の処理を行う画像処理部と本体部とが装着及び分離する構造を備えており、１つの上記本体部に対して、複数の上記画像処理部の中から１つを選択して装着し、接合を行う接合工程と、
上記接合工程により上記画像処理部と上記本体部とが接合された際に、上記本体部と上記画像処理部とが相互に通信を行い、上記画像処理部の設定可能項目を上記本体部に通知する設定内容通知工程と、
上記本体部において、上記設定内容通知工程により通知された設定可能項目と、当該本体部に既に記録されている上記画像処理部に対する設定の内容とを比較する設定内容比較工程と、
上記設定内容比較工程による比較の結果、上記設定内容通知工程により通知された設定可能項目と、上記本体部に既に記録されている上記画像処理部に対する設定の内容とに異なる部分があると判断された場合に、より近似の値を設定する近似値設定工程と
を有することを特徴とする画像処理方法。
【請求項７】
画像の処理を行う画像処理部と本体部とが装着及び分離する構造を備えており、１つの上記本体部に対して、複数の上記画像処理部の中から１つを選択して装着し、接合を行う接合手順と、
上記接合手順により上記画像処理部と上記本体部とが接合された際に、上記本体部と上記画像処理部とが相互に通信を行い、上記画像処理部の設定可能項目を上記本体部に通知する設定内容通知手順と、
上記本体部において、上記設定内容通知手順により通知された設定可能項目と、当該本体部に既に記録されている上記画像処理部に対する設定の内容とを比較する設定内容比較手順と、
上記設定内容比較手順による比較の結果、上記設定内容通知手順により通知された設定可能項目と、上記本体部に既に記録されている上記画像処理部に対する設定の内容とに異なる部分があると判断された場合に、より近似の値を設定する近似値設定手順と
をコンピュータに実行させるためのプログラム。
【請求項８】
請求項７に記載のプログラムをコンピュータに読み取り可能に記憶したことを特徴とするコンピュータ読み取り可能な記憶媒体。
【発明の詳細な説明】
【技術分野】
【０００１】
本発明は、画像処理部（カメラ部）と本体部とが装着及び分離する構造を備えた画像処理システム、画像処理方法、プログラム及び当該プログラムをコンピュータに読み取り可能に記憶したコンピュータ読み取り可能な記憶媒体に関するものである。
【背景技術】
【０００２】
図７は、従来の画像処理システム、いわゆる一体型のデジタルカメラの構成示したブロック図である。
【０００３】
図７において、７０１はレンズ群であり、固定焦点のレンズ群であってもいいし、所定倍率のズームレンズ群で構成される場合であってもよい。７０２はＣＣＤに代表される撮像素子であり、画素数は解像度に依存して決定されるものとする。７０３はＣＣＤコントロール部であり、ＣＣＤ７０２に転送クロックおよび各種制御信号を供給するタイミングジェネレータ（ＴＧ回路）とともに、ＣＣＤ７０２からの画像信号に対し、ノイズ除去およびゲイン調整処理を行うＣＤＳ／ＡＧＣ回路、およびアナログ画像信号を１０ｂｉｔもしくは１２ｂｉｔデジタル信号に変換するＡ／Ｄコンバータ回路などを具備する。このＣＣＤコントロール部７０３からは、ＣＣＤ７０２から入力されたアナログ信号を、ＣＤＳ／ＡＧＣ回路で加工し、Ａ／Ｄコンバータ回路でデジタル化した画像データが、１秒間に３０画面（フレーム）というタイミングで常に出力される。上記ＣＤＳ／ＡＧＣ回路及びＴＧ回路は、デジタルカメラ機能ＩＣ７０４から出力される同期シリアル通信によって制御されるものがほとんどである。
【０００４】
７０４はデジタルカメラ機能ＩＣであり、ＣＣＤコントロール部７０３からの画像データに、ホワイトバランス調整およびシャッタスピードおよび露出制御等の画像処理を行い、Ｙ・Ｃｂ・Ｃｒフォーマットのデジタル信号に変換し、ＪＰＥＧに代表される圧縮処理を行い、撮影画像をストレージ手段であるＣＦカード７０７に格納する。
【０００５】
デジタルカメラ機能ＩＣ７０４には、上記処理を行うために必要となるワークエリア用のメモリであるワークメモリ７０５と、ストレージ手段であるＣＦカードと、シャッタＳＷやモード切替ＳＷ等のキーＳＷ群７０８が接続されている。また、多くの場合、デジタルカメラ機能ＩＣ７０４の表示のための出力はＮＴＳＣであり、その信号を表示手段である表示装置７０９に出力するためにＮＴＳＣ出力ＩＣ７０８が接続されている。７１０は、デジタルカメラ機能ＩＣ７０４のプログラムが格納されているフラッシュメモリやマスクメモリ等からなるプログラムメモリである。７１１はレンズ群７０１のフォーカス制御やズーム制御を行うレンズ駆動モータ部である。
【０００６】
次に、デジタルカメラ機能ＩＣの表示信号の出力について説明する。ここで、通常、ファインダーモードと呼ばれる、キーＳＷ群７０６内のシャッタＳＷを押下せず、表示装置７０９上に画像を表示するだけのモードにおける内部動作について説明する。
【０００７】
静止画撮影モードもしくは動画撮影モードにおいて、デジタルカメラ機能ＩＣ７０４がＣＣＤコントロール部７０３に対し、ファインダー動作を設定する為のデータを同期シリアル通信で出力する。上記データを受けたＣＣＤコントロール部７０３はＣＣＤ７０２に対し、ファインダーモードに対応した各種制御クロックを出力する。この状態において、カメラレンズ７０１から取り込まれた被写体の光情報は、デジタルカメラ機能ＩＣ７０４からタイミングジェネレータ（ＴＧ）を通して出力される各種制御クロックで、ＣＣＤ７０２によって電気信号に変換される。
【０００８】
ＣＣＤ７０２から出力される電気信号は、ＣＣＤコントロール部７０３のＣＤＳ／ＡＧＣ＆ＡＤ回路を通してデジタル信号に変換され、デジタルカメラ機能ＩＣ７０４に入力される。デジタルカメラ機能ＩＣ７０４の内部では、１秒間に３０画面（フレーム）というタイミングで入力された画像のデジタル信号から、ＡＥ・ＡＦ・ＡＷＢ等の各処理用のパラメータを演算し、新しいパラメータをデジタルカメラ機能ＩＣ７０４内部のレジスタに再設定したり、ＣＣＤコントロール部７０３に送り返したり、レンズ駆動モータ部７１１を制御することを繰り返すことで、画像を撮影する為の最適な状態に設定する。
【０００９】
また、デジタルカメラ機能ＩＣ７０４は、入力画像を表示するために必要な画素サイズに縮小し、ワークメモリ５０５上の表示メモリエリアに表示データを書き込むと、画像表示部が書き込まれた画像データを表示画像データとして出力する。この表示画像データは、デジタル出力を備えたデジタルカメラ機能ＩＣにおいて通常１ドットあたり１３．５ＭＨｚ、一画面約６４０×４８０ドットで秒３０フレーム、データの形式はＹＣｂＣｒの４：２：２で出力される。
【００１０】
しかしながら、通常のデジタルカメラにおける表示手段は、ＮＴＳＣ方式が主流であるため、ほとんどのデジタルカメラ機能ＩＣはデジタル出力だけでなく、ＮＴＳＣ信号で画像データを表示できるように構成されている。ＮＴＳＣ信号の場合、本来ならば一画面約７２０×４８０で秒３０フレームの画像を、ＥＶＥＮフレームとＯＤＤフレームに分けて約７２０×２４０ドットで秒６０フレームとして出力する。ＮＴＳＣ出力ＩＣ７０８は、このＮＴＳＣ信号を入力し、表示装置７０９上に画像を表示させる為の信号を出力することで、表示装置７０９上に画像を表示することができる。
【００１１】
次に、静止画記録時の各制御ＩＣの動作について説明する。
静止画撮影モードでシャッタＳＷが押されると、デジタルカメラ機能ＩＣ７０４はファインダー動作を停止し、ＣＣＤコントロール部７０３に対し、ＣＣＤの全画素を取り込むモードを指示する為のデータを同期シリアル通信で転送する。通常、ファインダー動作時に出力される画像データは、ＣＣＤコントロール部７０３において、ＣＣＤ７０２から出力される画像データを、垂直方向を１／４程度に間引くような制御を行っているが、全画素取り込み時には、いくつかのフレームに分けて、ＣＣＤ７０２すべての画素データを出力するような制御を行う。
【００１２】
この出力された全画素データは、ＣＣＤコントロール部７０３でアナログレベルの調整をされ、デジタルカメラ機能ＩＣ７０４に入力される。デジタルカメラ機能ＩＣ７０４では、ワークメモリ７０５上に全画素分のデータを展開した後、各種画像処理を行った後、ＪＰＥＧ処理部においてＪＰＥＧ圧縮とＪＰＥＧ圧縮ファイルのワークメモリ７０５への書き込みを行い、その後同じ圧縮データをワークメモリ７０５から読み出し、ＣＦカード７０７に格納する。デジタルカメラ機能ＩＣ７０４は、ＣＦカード７０７への書き込み完了後、再びファインダーモードに復帰する。
【００１３】
次に、動画記録時の各制御ＩＣの動作について説明する。
今までのデジタルカメラにおける動画撮影は、いわゆるモーションＪＰＥＧと呼ばれる方式が主流となっている。動画記録モードでシャッタＳＷが押されると、上記表示信号の出力で説明したファインダーモードにおけるデータの流れと同様に、デジタルカメラ機能ＩＣ７０４に入力された画像データは、表示画像データとして表示メモリエリアに書き込まれる。
【００１４】
静止画撮影時には、ワークメモリ７０５上に全画素分のデータに対してＪＰＥＧ圧縮処理を行ったが、モーションＪＰＥＧ処理時においては、上記表示メモリエリアに書き込まれた表示画像データに対してＪＰＥＧ処理を行う。デジタルカメラ機能ＩＣ７０４内部にあるＪＰＥＧ処理部において、表示画像データをＪＰＥＧファイル化し、ワークメモリ７０５内に一時的に記録された後、ＣＦカード７０７に転送する。この処理をシャッタＳＷが押されている間に連続して行われるが、ＣＦカード７０７への転送速度には制限があるので、画像サイズはＶＧＡ（６４０×４８０）以下、フレームレートは１５ｆｐｓ以下という条件下において、連続撮影時間は１５秒というような仕様に限定されている。
【００１５】
ここまで、従来の一体型デジタルカメラについて説明をしたが、カメラ部と本体部が分離した構成の分離型デジタルカメラは、破線部７１２で分離するものがほとんどである。この場合、ＣＣＤコントロール部７０３とデジタルカメラ機能ＩＣ７０４の間の信号線は、ＣＣＤコントロール部７０３を制御する同期シリアル通信用の信号と、若干のタイミング制御用信号、ＣＣＤコントロール部からパラレル出力されるデジタル画像データ、及びカメラ部に関する情報を記録しておく為のＥＥＰＲＯＭやフラッシュメモリ等からなる記録手段（以下、メモリ）７１４の制御信号である。
【００１６】
操作者が、カメラ部を本体部に装着し、電源ＳＷを入力すると、デジタルカメラ機能ＩＣ７０４は画像撮影の為のイニシャル処理をはじめる。上記イニシャル処理の中で、デジタルカメラ機能ＩＣ７０４は、メモリ７１４と通信を行い、メモリ７１４内に記録されている識別コードを読み出し、そのカメラ部が正規なものであるかを判定する。正規なものであると判定した場合、カメラ部のイニシャル処理を実行する。イニシャル処理終了後、表示装置７０９に画像撮影モード、画像再生モード、システム設定モード等の、モード選択画面を表示する。操作者は、その中からキーＳＷ７０６を使用して画像撮影モードを選択し、モード設定の為のキーＳＷ７０６を押下すると、デジタルカメラ機能ＩＣ７０４はカメラモード切替え処理を行った後、表示装置７０９にファインダー表示を行い、やっと撮影可能な状態になる。
【００１７】
また、表示部分のみを分離した構成で、表示手段を装着していない場合は赤外線通信で、装着している場合にはコネクタを介した電気信号によって、表示内容を制御するというデジタルカメラも存在する。この場合、破線部７１３で表示装置７０９と本体部が分離され、表示装置７０９が本体とはなれている際には、デジタルカメラ機能ＩＣ７０４は赤外線出力ＩＣ７１４から出力される赤外線で、表示装置７０９に表示信号を出力する。表示装置７０９が本体部に装着されると、装着検出手段７１５が装着検出信号をデジタルカメラ機能ＩＣ７０４に出力する。装着検出信号が入力されたデジタルカメラ機能ＩＣ７０４は、それまで赤外線出力ＩＣ７１４から表示信号を出力していたものを停止し、ＮＴＳＣ出力ＩＣ７０８からの電気信号による表示信号を出力する。このようなケースにおいて、接続するしないにかかわらず、表示する内容やアプリケーションは同じであり、単に制御信号の出力手段を変更するのみである。
【００１８】
また、近年のインターネットの普及に伴い、パーソナルコンピュータ（ＰＣ）に接続ＵＳＢやＩＥＥＥ１３９４で接続できるＣＣＤカメラや、ＰＤＡにＣＦカードインターフェイス経由で接続できるカメラモジュールが一般的になりつつある。これらのカメラは、ＱＣＩＦサイズ（１７６×１４４）から多くてもＶＧＡサイズ（６４０×４８０）までのＣＣＤを搭載するものがほとんどであり、主な目的は、インターネットを利用したネットミーティング的なものや、ＷＥＢ掲載用の簡単な画像記録用としての利用である。これらは、ＰＣ上で特定のアプリケーションを起動すると、カメラモジュールが接続されていれば、アプリケーションウインドウ上に撮影画像が表示され、カメラモジュールが接続されていない場合は、「カメラが接続されていません」と言うメッセージをアプリケーションウインドウ上に表示するのみである。
【発明の開示】
【発明が解決しようとする課題】
【００１９】
しかしながら、このようなカメラ部と本体部とが分離している従来の画像処理システムにおいて、いろいろな種類のレンズやＣＣＤの画素数によるバリエーションを備えている複数のカメラ部の中から１つを選択して装着できる場合に、カメラ部を交換し直すたびにカメラ部の設定が初期設定に戻ってしまい、撮影前に画像サイズや圧縮率などの設定内容を再度設定し直す必要があった為、本体部にカメラ部を装着して電源投入した後に、すぐ撮影を開始すると、意図に反した画像が撮影されてしまうという問題が生じていた。この問題は、カメラ部に識別コードを記録できる場合においても、同様に発生する問題である。
【００２０】
本発明は上述の問題点にかんがみてなされたものであり、選択された画像処理部（カメラ部）を本体部に接続して撮影を行う際に、操作者が意図しない撮影がなされてしまうのを回避することを目的とする。
【課題を解決するための手段】
【００２１】
上記目的を達成するために本発明は、画像を処理する画像処理部と本体部とが装着及び分離する構造を備え、１つの上記本体部に対して、複数の上記画像処理部の中から１つを選択して装着し、接合を行う接合手段と、上記接合手段により接合された上記本体部と上記画像処理部とが相互に通信を行うための通信手段と、上記接合手段により上記画像処理部と上記本体部とが接合された際に、上記通信手段により通信を行い、上記画像処理部の設定可能項目を上記本体部に通知する設定内容通知手段と、上記本体部において、上記設定内容通知手段により通知された設定可能項目と、当該本体部に既に記録されている上記画像処理部に対する設定の内容とを比較する設定内容比較手段と、上記設定内容比較手段による比較の結果、上記設定内容通知手段により通知された設定可能項目と、上記設定記録手段に記録されている設定の内容とに異なる部分があると判断された場合に、より近似の値を設定する近似値設定手段とを有することを特徴とする画像処理システム等を提供する。
【００２２】
具体的には、画像を処理する画像処理部（カメラ部）と本体部とが装着及び分離する構造を備えた画像処理システムにおいて、まず、電源がＯＦＦされた場合もしくはカメラ部が分離された場合に、操作者が本体部に対して行ったカメラ部に関する設定を記録する。そして、本体部にカメラ部が装着された際、もしくは電源投入時にカメラ部が装着されていた場合に、本体部とカメラ部とが通信処理を行い、どのような機能をもつカメラ部が装着されたかを本体部が判断する。そして、前回のＯＦＦ時もしくは分離時と同様のカメラ部が装着されたと判断した場合、記録された設定をカメラ部に対して設定する、一方、前回のＯＦＦ時もしくは分離時と異なるカメラが装着されたと判断した場合、本体部は記録された設定に最も近い設定を自動的に判断し、カメラ部に対して設定する。
【００２３】
また、前回のＯＦＦ時もしくは分離時と異なるカメラが装着されたと判断した場合に、表示部上に変更された設定内容が操作者に判断できるような表示内容を出力する。また、前回のＯＦＦ時もしくは分離時と異なるカメラが装着されたと判断した場合、表示部上に、変更された設定が操作者に判断できるようなモード設定画面を表示する。また、前回のＯＦＦ時もしくは分離時と異なるカメラが装着されたと判断した場合、表示部上に、変更された設定が操作者に判断できるような警告音を発する。
【発明の効果】
【００２４】
本発明によれば、選択された画像処理部（カメラ部）を本体部に接続して撮影を行う際に、当該画像処理部の設定可能項目と、本体部に既に記録されている画像処理部に対する設定の内容とを比較し、異なる部分があると判断された場合に、より近似の値を設定するようにしたので、操作者が意図しない撮影がなされてしまうのを回避することができる。
【発明を実施するための最良の形態】
【００２５】
以下、添付図面を参照して本発明の好適な実施の形態を詳細に説明する。
【００２６】
（第１の実施形態）
図１は、第１の実施形態に係る分離型の画像処理システムの概略構成を示すブロック図である。
図１において、１００は、本体部と分離された画像処理部に相当するカメラ部である。１０１は、ＣＣＤ１０２に画像を入力するレンズ群である。１０２は、レンズ群１０１から入力される画像を電気信号に変換するＣＣＤである。１０３は、ＣＣＤ１０２から出力されるアナログ信号を調整し、デジタル信号に変換するＣＤＳ／ＡＧＣ＆ＡＤ、及びＣＣＤ１０２を駆動するためのタイミング信号を出力するタイミングジェネレータからなるＣＣＤコントロール部である。１０４は、ＣＣＤコントロール部を、同期シリアル通信によって制御し、ＣＣＤコントロール部１０３から出力されるデジタル信号を画像データとして生成したり、露出やホワイトバランスをコントロールしたり、ファインダー画像（６４０×４８０ドット）の出力やＣＰＵ１２１からの制御コマンドにより、撮影画像のＪＰＥＧファイルを生成するデジタルカメラ機能ＩＣである。
【００２７】
１０５は、デジタルカメラ機能ＩＣ１０４に接続され、ＪＰＥＧ展開や画像サイズ変換等に使われるワークメモリとして使用される、主にＳＤＲＡＭやＳＲＡＭが使用されるカメラ用ワークメモリである。１０６は、デジタルカメラ機能ＩＣ１０４の制御プログラムが格納されているフラッシュメモリやマスクメモリからなるプログラムメモリである。１０７は、カメラ部１００と本体部１２０を接続する為の、カメラ部１００のカメラ側コネクタである。１０８は、デジタルカメラ機能ＩＣ１０４から出力される、ファインダーデータ(６４０×４８０ドットの画像を１秒間に３０回)を出力するファインダー出力専用バスである。
【００２８】
１０９は、デジタルカメラ機能ＩＣ１０４とＣＰＵ１２１が、相互にファイルデータの送受信を行う、カメラ側ファイル転送専用バスである。１１０は、デジタルカメラ機能ＩＣ１０４とＣＰＵ１２１が、制御コマンドの送受信を行う、カメラ側制御コマンド専用バスである。１１１は、本体部とカメラ部を装着・分離を行う際に必ず操作する操作部と、上記操作部に連動したスイッチからなり、装着・分離時にデジタルカメラ機能ＩＣ１０４とＣＰＵ１２１に信号を出力する検出部である。１１２は、検出部１１１から本体部へ出力される、検出信号である。１１３は、本体側コネクタ１３１およびカメラ側コネクタ１０７を経由してカメラ部１００へ供給される、本体部１２０に接続されるバッテリ１２９の電圧で、カメラ部１００への各供給電圧を作成する電源部である。
【００２９】
１２０は、カメラ部と分離された本体部である。１２１は、キーＳＷ１２７からの入力に基づき当該機器をコントロールし、デジタルカメラ機能ＩＣ１０４の制御や、ＴＦＴ液晶表示部１２５への表示データをコントロールするＣＰＵである。このＣＰＵには、いわゆるマイクロプロセッサ以外に、ファインダーデータのＹＣ→ＲＧＢ変換ロジックや、プログラムメモリ１２３やワークメモリ１２２等の外部メモリをコントロールするメモリコントローラ等のロジックを内蔵するいわゆるＳＯＣ（システム・オン・シリコン）といわれるものである。
【００３０】
１２２は、メモリバスで接続され、ＣＰＵ１２１の画像展開エリアやワークエリアとして使用される、ＳＲＡＭやＳＤＲＡＭ等からなるワークメモリである。１２３は、メモリバスで接続され、当該機器をコントロールする制御プログラムやフォントデータ、操作者が設定する各種機能の設定データ等を格納する、フラッシュメモリからなるプログラムメモリである。１２４は、ＣＰＵ１２１からＲＧＢ信号と同期信号を入力し、ＴＦＴ液晶表示部１２５に画像を表示するための信号を生成・出力する表示制御回路である。１２５は、ＶＧＡサイズのＴＦＴ方式の液晶ディスプレイである。１２７は、シャッタＳＷやモードＳＷなどの各種制御用のＳＷを検出する、キーＳＷである。１２８は、ＣＰＵ１２１と専用バスを経由しコネクタで接続される、ストレージ手段であるところのＣＦカードである。１２９は、本体部１２０に接続される、リチウムイオン電池や単３乾電池などの各種電池やＡＣアダプタからなるバッテリである。
【００３１】
１３０は、バッテリ１２９が接続され、本体部１２０及びカメラ部１００の各デバイスに電源を供給する為の電源部である。１３１は、カメラ部１００と本体部１２０を接続する為の、本体部１２０側の本体側コネクタである。１３２は、デジタルカメラ機能ＩＣ１０４から出力されるファインダーデータ１０８を、カメラ側コネクタ１０７及び本体側コネクタ１３１を経由してＣＰＵ１２１に入力する為のファインダー入力専用バスである。
【００３２】
１３３は、デジタルカメラ機能ＩＣ１０４とＣＰＵ１２１が、相互にファイルデータの送受信を行う、本体側ファイル転送専用バスである。１３４は、デジタルカメラ機能ＩＣ１０４とＣＰＵ１２１が、制御コマンドの送受信を行う、本体側制御コマンド専用バスである。１３５は、カメラ部１００の検出部１１１から出力される検出信号である。本実施形態において、制御コマンドのやり取りにはＵＡＲＴと呼ばれる標準的なシリアル通信方式を使用した場合について説明する。
【００３３】
図２は、第１の実施形態に係る画像処理システムの処理のフローチャートである。このフローチャートには、カメラ部１００の装着から撮影可能状態になるまでの一連の流れを示す。また、図３は、本体部１２０上の液晶表示部１２５に表示されるカメラ部１００の交換時のメッセージの表示例を示した図である。
【００３４】
図３において、３０１は、カメラモードでの各項目を設定する際に表示される、撮影条件確認ウインドウである。３０２は、撮影条件の中の１つで、静止画撮影画像サイズを設定する、記録画素数である。３０３は、記録画素数３０２及び圧縮率に基づき、本体部１２０に装着されているＣＦカード１２８の画像格納エリアの容量に対し、何枚の静止画が撮影可能であるかを表す撮影可能枚数である。３０４は、記録画素数３０２の項目を設定する為に表示されるカメラ部１００で設定可能な記録画素数の一覧である。３０５は、撮影可能枚数３０３の項目で、ＣＰＵ１２１が現在の設定で計算して表示する撮影可能枚数である。３０６は、カメラ部１００が異なるものが装着されたと判断した場合に表示されるカメラ変更警告ウインドウである。
【００３５】
カメラモードで設定可能な項目としては、ＡＦ（オートフォーカス）方式、露出制御方式、露出補正、撮影モード、シャッタースピード、感度、ホワイトバランス、記録画素数、静止画圧縮率、などが挙げられる。
【００３６】
図１、図２及び図３を用いて、第１の実施形態に係る画像処理システムにおける各処理について説明する。具体的には、カメラ部１００と本体部１２０との装着から撮影までの各処理について説明する。
【００３７】
カメラ部１００を本体部１２０に装着し（ステップＳ２０１）、電源キーを押下して本体部１２０の電源を投入すると（ステップＳ２０２）、ＣＰＵ１２１はイニシャル処理として、カメラ部１００に対し、本体側制御コマンド専用バス１３４を使って、装着されたカメラ部１００が、どのようなカメラ機能を備えているかをＣＰＵ１２１に出力する為の制御コマンドを送信する（ステップＳ２０３）。制御コマンドをカメラ側制御コマンド専用バス１１０経由で受信すると、デジタルカメラ機能ＩＣ１０４は、カメラ部の認識コードと撮影機能としての有効なパラメータをすべて、カメラ側制御コマンド専用バス１１０経由でＣＰＵ１２１に対して送信する。
【００３８】
本体側制御コマンド専用バス１３４経由で、カメラ部の認識コードと撮影機能としての有効なパラメータをすべて受信したＣＰＵ１２１は、認識コードを含む受信データをすべてワークメモリ１２２上に保存する（ステップＳ２０４）。さらにＣＰＵ１２１は、前回電源ＯＦＦ時にプログラムメモリ１２３に記録しておいた認識コードを含むカメラモードの前回保存設定値をプログラムメモリ１２３から読み出して（ステップＳ２０５）、ワークメモリ１２２上に展開し、認識コードが一致するか、また、読み出した前回保存設定値が、新しく装着されたカメラ部で実現可能かどうかの判断処理を行う（ステップＳ２０６）。
【００３９】
ステップＳ２０６での判断の結果、すべて実現可能と判断された場合、ステップＳ２０９に進み、ＣＰＵ１２１はデジタルカメラ機能ＩＣ１０４に対し、前回保存設定値と同じ設定になるようなパラメータを送信する。そして、デジタルカメラ機能ＩＣ１０４は、受信したパラメータに基づいて画像サイズや圧縮率、撮影モードを設定し（ステップＳ２１０）、撮影を開始する（ステップＳ２１１）。
【００４０】
ステップＳ２０６での判断の結果、一部、もしくはすべての項目において一致しない部分があったと判断された場合、ＣＰＵ１２１は、各種設定の中から一致していない項目を判断し（ステップＳ２０７）、上記不一致項目および不一致項目におけるもっとも近似していると思われる設定可能パラメータを、撮影条件確認ウインドウ３０１を使って、ＴＦＴ液晶表示部１２５に一定時間表示出力する（ステップＳ２０８）。この図３の表示例においては、異なる項目に対する近似する選択データを強調（ハイライト）表示している。また、この新しい設定における撮影可能枚数３０５も表示し、さらに、カメラ部が変更されたことを明示する為のカメラ変更警告ウインドウ３０６も表示している。続いて、ＣＰＵ１２１は、デジタルカメラ機能ＩＣ１０４に対し、変更された項目を含むすべてのパラメータを送信すると（ステップＳ２０９）、デジタルカメラ機能ＩＣ１０４は、受信したパラメータに基づいて画像サイズや圧縮率、撮影モードを設定し（ステップＳ２１０）、撮影を開始する（ステップＳ２１１）。
【００４１】
（第２の実施形態）
前述の第１の実施形態では、カメラ部１００の変更により、不一致撮影項目が出た場合に、ＴＦＴ液晶表示部１２５に不一致撮影項目及びカメラ部変更警告を一定時間表示するという形態であったが、第２の実施形態では、操作者がＣＰＵ１２１による近似項目の選択に不満がある場合、操作者によって修正する手段を与えるという構成を設けるようにして、本発明の効果を得るようにしたものである。
【００４２】
図４は、第２の実施形態に係る画像処理システムの処理のフローチャートである。このフローチャートには、カメラ部１００の装着から撮影可能状態になるまでの一連の流れを示す。なお、図４に示す第２の実施形態における画像処理方法は、図２に示した第１の実施形態における画像処理方法のステップＳ２０１〜ステップＳ２０７までの処理については同様であるため、以下の説明においては省略する。また、図５は、設定変更画面の表示例を示した図である。
【００４３】
図５において、５００は、通常の撮影メニュー設定画面である。５０１は、撮影条件の中の１つで、撮影モードを設定する、撮影モードである。５０２は、撮影条件の中の１つで、静止画撮影画像サイズを設定する、記録画素数である。５０３は、撮影条件の中の１つで、静止画をＪＰＥＧ圧縮する際の圧縮率を示す、画質である。５０４は、撮影条件の中の１つで、明るさの条件を設定する、露出補正である。５０５は、非選択を表す、グレー表示部分である。５０６は、変更のなかった選択部分を表す、ハイライト表示部分である。５０７は、変更があった選択部分を表す、カラー表示部分である。
【００４４】
図４において、ステップＳ２０７において、ＣＰＵ１２１が各種設定の中から一致していない項目を判断した場合、上記不一致項目および不一致項目におけるもっとも近似していると思われる設定可能パラメータを含んだ形で、通常の撮影モード設定画面５００を表示する（ステップＳ４０１）。この中で、変更のあった部分は、色を変えることにより、変更のなかった通常のハイライト表示に比べて、より変更されたことが強調されている。また、色を変えるだけでなく、フラッシング表示するなど、ほかにも強調する手段はある。
【００４５】
続いて、操作者によって指示された撮影モードにおける設定を変更する（ステップＳ４０２）。その後、ステップＳ２０９に進み、以降、図２に示した処理を実行する。
【００４６】
（第３の実施形態）
前述の第１の実施形態では、カメラ部１００の変更により、不一致撮影項目が出た場合に、ＴＦＴ液晶表示部１２５に不一致撮影項目及びカメラ部変更警告を一定時間表示するという形態であってが、第３の実施形態では、一定時間の表示期間中に偶然表示を見ていなかった場合、操作者はカメラ部の変更に気がつかず、撮影を開始してしまう危険性があるため、その危険性を回避する為に表示という視覚に訴えるだけでなく、警告音を発して聴覚によっても訴えかける構成を設けるようにして、本発明の効果を得るようにしたものである。
【００４７】
図６は、第３の実施形態に係る分離型の画像処理システムの概略構成を示すブロック図である。なお、図１に示した各構成と同様の構成については、同様の符号を付してあり、その説明は省略する。
【００４８】
図６において、６０１は、警告手段の一種であるブザーである。
図２のステップＳ２０７において、ＣＰＵ１２１が各種設定の中から一致していない項目を判断し、上記不一致項目および不一致項目におけるもっとも近似していると思われる設定可能パラメータを、撮影条件確認ウインドウ３０１を使って、ＴＦＴ液晶表示部１２５に一定時間表示出力している最中に（ステップＳ２０８）、ブザー６０１により警告音を発することにより、操作者はより確実にカメラ部の変更を認識することができる。なお、この警告音の発生は、システム設定によりＯＦＦすることもできる。
【００４９】
本発明の各実施形態においては、例えば、図２及び図４の各ステップのプログラムをコンピュータが実行することによって実現することができる。また、プログラムをコンピュータに供給するための手段としては、例えば、かかるプログラムを記録したＣＤ−ＲＯＭ、ＤＶＤ、メモリ、ハードディスク等のコンピュータ読み取り可能な記録媒体や、かかるプログラムを伝送するインターネットやＬＡＮ等の伝送媒体が挙げられる。以上、本発明の実施形態について、図面を参照して詳述してきたが、具体的な構成は前述した実施形態に限られるものではなく、本発明の要旨を逸脱しない範囲で適宜変更可能である。
【図面の簡単な説明】
【００５０】
【図１】第１の実施形態に係る分離型の画像処理システムの概略構成を示すブロック図である。
【図２】第１の実施形態に係る画像処理システムの処理のフローチャートである。
【図３】本体部上の液晶表示部に表示されるカメラ部の交換時のメッセージの表示例を示した図である。
【図４】第２の実施形態に係る画像処理システムの処理のフローチャートである。
【図５】設定変更画面の表示例を示した図である。
【図６】第３の実施形態に係る分離型の画像処理システムの概略構成を示すブロック図である。
【図７】従来の画像処理システム、いわゆる一体型のデジタルカメラの構成示したブロック図である。
【符号の説明】
【００５１】
１００  カメラ部（画像処理部）
１０１  レンズ群
１０２  ＣＣＤ
１０３  ＣＣＤコントロール部
１０４  デジタルカメラ機能ＩＣ
１０５  カメラ用ワークメモリ
１０６  プログラムメモリ
１０７  カメラ側コネクタ
１０８  ファインダー出力専用バス
１０９  カメラ側ファイル転送専用バス
１１０  カメラ側制御コマンド専用バス
１１１  検出部
１１２  検出信号
１１３  電源部
１２０  本体部
１２１  ＣＰＵ
１２２  ワークメモリ
１２３  プログラムメモリ
１２４  表示制御回路
１２５  液晶ディスプレイ
１２７  キーＳＷ
１２８  ＣＦカード
１２９  バッテリ
１３０  電源部
１３１  本体側コネクタ
１３２  ファインダー入力専用バス
１３３  本体側ファイル転送専用バス
１３４  本体側制御コマンド専用バス
１３５  検出信号
【図１】
2006174062.tif 000003
【図２】
2006174062.tif 000004
【図３】
2006174062.tif 000005
【図４】
2006174062.tif 000006
【図５】
2006174062.tif 000007
【図６】
2006174062.tif 000008
【図７】
2006174062.tif 000009